(57)【特許請求の範囲】
【請求項１】
衣類のいずれかのボタンに係止させ得るボタン止め部材と、このボタン止め部材を衣類のいずれかのボタンに係止させたとき当該ボタンに対応する衣類のボタンホールの外側に位置させ得る装飾部材と、前記ボタンホールに差し込むものであって、前記ボタン止め部材と前記装飾部材との間に所定の間隔を保たせるための差込部材とを有しており、前記ボタン止め部材に形成されているボタン糸差込用の切欠の奥に位置していて前記ボタン止め部材の長手方向に延びるボタン係止用の溝内であって前記切欠に対して奥側に、ボタン止め部材がボタン糸から外れにくくするための段部を形成したことを特徴とするボタン用アクセサリー。
【発明の詳細な説明】
【技術分野】
【０００１】
本発明は、ワイシャツ、ブラウス、ポロシャツなどボタンを有する衣類に使用し得るアクセサリーに関するものである。
【背景技術】
【０００２】
クールビズやスーパークールビズなどでネクタイを着用しない傾向にある昨今、ビジネスシーンやその他の機会にワイシャツ、ブラウス、ポロシャツなどボタンを有する衣類のボタンをボタンホールから外すことが多いが、襟元が開き過ぎるとだらしなく見える場合がある。また、中には、ネクタイを着用しないでボタンを開けることを気にする人もいる様である。
【０００３】
このような場合において、ボタンを有する衣類のボタンホールにアクセサリーを取り付けることができるようにすれば、上記欠点を軽減することができるだけでなく、胸元、襟元のドレスアップにもつながる。
【０００４】
このようなアクセサリーに相当するものとして、装飾部とボタン止めとを連接体によって連接する装飾体よりなり、該ボタン止めによってシャツのボタンに係止すると共に該装飾部をボタン穴から外部に表出して装着する装飾体であって、該装飾体にはリング部材を有するものが提案されている（例えば、特許文献１）。
【先行技術文献】
【特許文献】
【０００５】
【特許文献１】特開２００７−１９５６２０号公報
【０００６】
この装飾体によれば、装飾部を外部に表出して装着できると共にリング部材によってボタン穴に挟み込むことができるので、装飾的価値の高い装飾体を装着できると共に、簡単に装着でき、ボタン穴外部にきっちりと装飾部を位置させることができる。
【発明の概要】
【発明が解決しようとする課題】
【０００７】
この装飾体は上述したように優れた効果を奏するが、チェンなどの連接体が必要であって構成部品がそれだけ多くなるのみならず、利用者の急な動きや引っ張りなどにより、連接体またはボタンがちぎれてしまうという欠点がある。
そこで、チェンなどの連接体を必要としない簡易なものとすることができれば、上記欠点を解消することができる。
本発明の目的は、この要望に応えることができるボタン用アクセサリーを提供することである。
【課題を解決するための手段】
【０００８】
この目的を達成するため、本発明では、衣類のいずれかのボタンに係止させ得るボタン止め部材と、このボタン止め部材を衣類のいずれかのボタンに係止させたとき当該ボタンに対応する衣類のボタンホールの外側に位置させ得る装飾部材と、前記ボタンホールに差し込むものであって、前記ボタン止め部材と前記装飾部材との間に所定の間隔を保たせるための差込部材とを有しており、前記ボタン止め部材に形成されているボタン糸差込用の切欠の奥に位置していて前記ボタン止め部材の長手方向に延びるボタン係止用の溝内であって前記切欠に対して奥側に、ボタン止め部材がボタン糸から外れにくくするための段部を形成したものとする。
【０００９】
このボタン用アクセサリーは、衣類のいずれかのボタンに対応するボタンホールの外側からボタン止め部材を当該ボタンホールに差し込んで前記ボタンにボタン止め部材を係止するとともに、差込部材を前記ボタンホールに位置させることにより、衣類の外側に装飾部材を位置させることができる。
【００１０】
このボタン用アクセサリーは、チェンなどの連接体を必要としない極めて簡易なものである。比較的安価に製造することができる。また、このボタン用アクセサリーを用いた場合には、襟元が開き過ぎるのを軽減することができ、装飾部材により服装をおしゃれに演出することができる。
【００１１】
特に、ボタン止め部材に形成されているボタン糸差込用の切欠の奥に位置していて前記ボタン止め部材の長手方向に延びるボタン係止用の溝内であって前記切欠に対して奥側に、ボタン止め部材がボタン糸から外れにくくするための段部が形成されているので、衣類のいずれかのボタンに対応するボタンホールの外側からボタン止め部材を当該ボタンホールに差し込んで前記ボタンにボタン止め部材を係止した場合において、ボタン止め部材のボタン係止用の溝内に位置するボタン糸が前記段部に引っ掛かり、ボタン係止用の溝からボタン糸が外れてボタン止め部材がボタンから離脱するのを防止することができる。
【発明の効果】
【００１２】
請求項１記載のボタン用アクセサリーは、チェンなどの連接体を必要としない極めて簡易なものである。比較的安価に製造できる。また、請求項１記載のボタン用アクセサリーを用いた場合には、襟元が開き過ぎるのを軽減することができ、装飾部材により服装をおしゃれに演出することができる。
【００１３】
特に、請求項１記載のボタン用アクセサリーによれば、衣類のいずれかのボタンに対応するボタンホールの外側からボタン止め部材を当該ボタンホールに差し込んで前記ボタンにボタン止め部材を係止した場合において、ボタン止め部材のボタン係止用の溝内に位置するボタン糸が前記段部に引っ掛かり、ボタン係止用の溝からボタン糸が外れてボタン止め部材がボタンから離脱するのを防止することができる。
【図面の簡単な説明】
【００１４】
【図１】装飾部材に取付軸が備えられ、この取付軸を差込部材とボタン止め部材を貫通してボタン止め部材の裏側に突出させ、その部分において鳩目金具をカシメて、ボタン止め部材と差込部材と装飾部材とを一体的ならしめた、本発明によるボタン用アクセサリーの一例を示す概略図で、(a)は斜視図、(b)は平面図、(c)は正面図、(d)は底面図、(e)はボタン止め部材と差込部材と装飾部材の結合状態の一例を示す一部切欠の拡大図である。
【図２】図１に示すボタン用アクセサリーの使用状態の一例を示す概略図である。
【図３】図２の一部を拡大して示す斜視図である。
【図４】装飾部材がヒンジで差込部材に結合されており、ヒンジを中心として装飾部材を差込部材に対して回動させ得るようにした、本発明によるボタン用アクセサリーの別の例を示す概略図で、(a)は斜視図、(b)は平面図、(c)は正面図、(d)は底面図、(e)はヒンジを中心として装飾部材を差込部材に対して回動させて開いた状態を示す正面図である。
【図５】図４に示すボタン用アクセサリーの使用状態の一例を示す概略図である。
【図６】図５の一部を拡大して示す正面図である。
【発明を実施するための形態】
【００１５】
本発明によるボタン用アクセサリーのそれぞれの実施形態を、図面に基づいて詳細に説明する。
【００１６】
ここに例示するボタン用アクセサリーは、いずれも、ワイシャツ、ブラウス、ポロシャツなどボタンを有する衣類Ｄのいずれかのボタンｄに係止させ得るボタン止め部材１と、このボタン止め部材１を衣類Ｄのいずれかのボタンｄに係止させたとき当該ボタンｄに対応する衣類Ｄのボタンホールｄ’ の外側に位置させ得る装飾部材３と、前記ボタンホールｄ’に差し込むものであって、前記ボタン止め部材１と前記装飾部材３との間に所定の間隔を保たせるための差込部材２とを有している。
なお、同じ機能を有する部材については、形状や材質が異なる場合においても、また、当該部材の各部分の機能が同じ場合には、以下の説明では同じ図面符号を用いることとする。
【００１７】
図１に、装飾部材３に取付軸３ａが備えられ、この取付軸３ａを差込部材２とボタン止め部材１を貫通してボタン止め部材１の裏側に突出させ（図２(e)参照）、その部分において鳩目金具４をカシメて、ボタン止め部材１と差込部材２と装飾部材３とを一体的ならしめた、Ａタイプのボタン用アクセサリーの一例を示す。このボタン用アクセサリーＡによれば、金槌などで鳩目金具４に力を加えることにより、ボタン止め部材１と差込部材２と装飾部材３とを極めて簡単かつ強固に結合して一体的ならしめることができる。
【００１８】
また、図４に、装飾部材３がヒンジ３ｂで差込部材２に結合されており、ヒンジ３ｂを中心として装飾部材３を差込部材２に対して回動させ得るようにした、Ｂタイプのボタン用アクセサリーの一例を示す。このボタン用アクセサリーＢによれば、ヒンジ３ｂにより装飾部材３を開閉することができる。したがって、図４(e)に示すように、装飾部材３を開いたまま衣類Ｄのいずれかのボタンｄに対応するボタンホールｄ’の外側からボタン止め部材１を当該ボタンホールｄ’に差し込んで前記ボタンｄにボタン止め部材１を係止するとともに、差込部材２を前記ボタンホールｄ’に位置させ、しかる後、図４(e)の状態から図４(c)に示すように装飾部材３を閉じることで、ボタン用アクセサリーＢを衣類Ｄに簡単に装着することができる。
【００１９】
Ａ，Ｂ両タイプのボタン用アクセサリーにおいては、いずれのボタン止め部材１にも、ボタン糸ｅ”差込用の切欠１ａが形成されており、この切欠１ａの奥を前記ボタン止め部材１の長手方向に延びるボタン係止用の溝１ｂとしてある。したがって、衣類Ｄへの取り付け方を説明すると、図２、図３および図５、図６に示すように、衣類Ｄのいずれかのボタンｄに対応するボタンホールｄ’の外側からボタン止め部材１を当該ボタンホールｄ’に差し込み、しかる後、ボタン止め部材１の切欠１ａを経てその奥に位置していて前記ボタン止め部材１の長手方向に延びる溝１ｂにボタン糸ｄ”を誘導してボタン止め部材１を前記ボタンｄに係止するとともに、差込部材２を前記ボタンホールｄ’に位置させることにより、衣類Ｄの外側に装飾部材３を位置させることができる。
【００２０】
なお、前記切欠１ａの大きさについては、Ａ，Ｂタイプのボタン用アクセサリーの場合のように、溝１ｂの長さに対して小さな切欠１ａとしても良いし、図示はしないがそれよりも大きくなるような切欠１ａとしても良い。また、図示はしないが、装飾部材３側に大きな入口が形成されるごとく切欠１ａを形成し、この切欠１ａの奥に位置していて前記ボタン止め部材の長手方向に延びる溝１ｂができるようにしても良い。
【００２１】
さらに、Ａ，Ｂ両タイプのボタン用アクセサリーにおいては、ボタン止め部材１に形成されているボタン差込用の切欠１ａの奥に位置していて前記ボタン止め部材１の長手方向に延びるボタン係止用の溝１ｂ内であって前記切欠に対して奥側に、ボタン止め部材１がボタン糸ｄ”から外れにくくするための段部１ｃがいずれも形成されている。ボタン止め部材１に形成されているボタン差込用の切欠１ａの奥に位置していて前記ボタン止め部材１の長手方向に延びるボタン係止用の溝１ｂ内であって前記切欠に対して奥側に段部１ｃが形成されていると、衣類Ｄのいずれかのボタンｄに対応するボタンホールｄ’の外側からボタン止め部材１を当該ボタンホールｄ’に差し込んで前記ボタンｄにボタン止め部材１を係止した場合において、ボタン止め部材１のボタン係止用の溝１ｂ内に位置するボタン糸ｄ”が前記段部１ｃに引っ掛かり、ボタン係止用の溝１ｂからボタン糸ｄ”が外れてボタン止め部材１がボタンｄから離脱するのを防止することができる。
【００２２】
Ａ，Ｂ両タイプのボタン用アクセサリーは、いずれも、チェンなどの連接体を必要としない極めて簡易なものである。比較的安価に製造することができる。
Ａ，Ｂ両タイプのボタン用アクセサリーを用いた場合には、いずれの場合も、襟元が開き過ぎるのを軽減することができ、装飾部材３により服装をおしゃれに演出することができる。
【００２３】
図１〜図３に示すＡタイプのボタン用アクセサリーにおいては、装飾部材３を比較的簡単な装飾加工を施した十字架とした場合が例示されているが、ハート形、スワロデザイン、スワロデザインの丸形など様々なデザインの装飾体とすることができる。装飾部材３と差込部材２をステンレスその他の腐食しにくい金属製とし、高級感を出すためにその部分に金や銀などのメッキ加工、ペイント加工を施せば、豪華なアクセサリーになる。
さらに、装飾部材３として装飾価値の高いものを用いれば、この装飾部材３により服装をより豪華に演出することができるだけでなく、胸元のドレスアップにも貢献する。
【００２４】
図４〜図６に示すＢタイプのボタン用アクセサリーにおいては、装飾部材３のところにダイヤなどからなる装飾体５が複数個ちりばめてあり、より装飾価値の高いものとしてある。装飾体を石以外のものとすることもできる。なお、Ｂタイプのボタン用アクセサリーにおいては、ヒンジ３ｂさえ備えられておれば、装飾部材３をどのような形状のものにも変更可能である。
【００２５】
Ａ，Ｂ両タイプのボタン用アクセサリーにおいては、ボタン止め部材１を通常の金属製とすることができる。
【００２６】
Ａタイプのボタン用アクセサリーにあっては、装飾部材３に備えられた取付軸３ａの周囲を囲むとともに、ボタン止め部材１と装飾部材３との間に所定の間隔を保たせるための部材を兼ねた間隔保持具２ａを差込部材２としてある。また、Ｂタイプのボタン用アクセサリーにあっては、ボタン止め部材１から立ち上げられ、ヒンジ３ｂの直下に位置する部分をそのまま差込部材２としてある。
いずれの場合においても、それぞれの差込部材２を前記ボタンホールｄ’に位置させることにより、衣類Ｄの外側に装飾部材３を位置させることができる。
【００２７】
Ａタイプのボタン用アクセサリーにおいては、ボタン止め部材１に装飾部材３を一体化するに当って図１に示すように鳩目金具４を用いているが、他の方法で、例えば雄ねじ・雌ねじを用いて、あるいは、溶接によって、また、接着剤を用いて一体化することもできる。
【００２８】
装飾部材３として異なるデザインのものを用意しておけば、利用者の好み、あるいはＴ．Ｐ．Ｏでボタン用アクセサリーを使い分けることができる。また、本ボタン用アクセサリーは、主として、ボタン止め部材１を衣類Ｄのボタンｄのいずれかに係止するとともに、差込部材２を当該ボタンｄに対応するボタンホールｄ’に差し込むほか、衣類Ｄの袖口部分に使用すれば、カフスボタンの代わりとして利用できる。
さらに、衣類Ｄの襟元にある１つ目（一番上）のボタンｄに係止するとともに、前記差込部材２を１つ目（一番上）のボタンホールｄ’に差し込めば、サイズの小さくなった衣類Ｄの襟元のサイズを多少大きく見せる場合にも使用することができる。
【００２９】
一方、図１、図４に示す場合と正反対の向きとなるように左右逆のものとすれば、女性用のボタン用アクセサリーとして利用できる。
【符号の説明】
【００３０】
１…ボタン止め部材、１ａ…切欠、１ｂ…溝、１ｃ…段部、２…差込部材、３…装飾部材、３ａ…取付軸、３ｂ…ヒンジ、４…鳩目金具、Ａ，Ｂ…ボタン用アクセサリー、Ｄ…衣類、ｄ…ボタン、ｄ’…ボタンホール。
【図１】
0006016366.tif 000002
【図２】
0006016366.tif 000003
【図３】
0006016366.tif 000004
【図４】
0006016366.tif 000005
【図５】
0006016366.tif 000006
【図６】
0006016366.tif 000007